(57)【特許請求の範囲】
【請求項１】
上部旋回体の前部にブーム取り付け用の支持ブラケット及び工具箱が設けられ、かつ、液体還元剤を用いて排ガス処理を行う建設機械において、
前記液体還元剤を貯留すると共に、上部旋回体に配設された燃料タンクの前側に近接して配設され、前記支持ブラケットの右外側であって、かつ、前記工具箱の後ろ側に近接して配設された液体還元剤用メインタンクと、
前記液体還元剤用メインタンクに対し、前側に近接して、管継手又はホースを介して着脱可能に接続される液体還元剤用増設タンクとを有することを特徴とする建設機械。
【請求項２】
前記液体還元剤用増設タンクを、前記工具箱内に設置したことを特徴とする請求項１記載の建設機械。
【請求項３】
上部旋回体の前部にブーム取り付け用の支持ブラケット及び工具箱が設けられ、かつ、液体還元剤を用いて排ガス処理を行う建設機械において、
前記液体還元剤を貯留すると共に、上部旋回体に配設された燃料タンクの前側に近接して配設され、前記支持ブラケットの右外側であって、前記工具箱の後ろ側に近接して配設された液体還元剤用メインタンクと、
前記液体還元剤用メインタンクに対し、上側に近接して、管継手又はホースを介して着脱可能に接続される液体還元剤用増設タンクとを有することを特徴とする建設機械。
【請求項４】
前記液体還元剤用メインタンクと前記液体還元剤用増設タンクを同一構成としたことを特徴とする請求項１乃至３のいずれか一項に記載の建設機械。
【請求項５】
前記管継手をプラグとソケットにより構成すると共に、前記プラグを前記ソケットに挿入することにより自動連結される構成としたことを特徴とする請求項１乃至４のいずれか一項に記載の建設機械。
【発明の詳細な説明】
【技術分野】
【０００１】
本発明は建設機械に係り、特に液体還元剤を貯留した液体還元剤用タンクが搭載された建設機械に関する。
【背景技術】
【０００２】
近年、ディーゼルエンジンを搭載した油圧ショベル等の建設機械では、高次の排ガス規制に対応すべく、ディーゼルエンジンの排気系に排ガス処理装置が設置され、ディーゼルエンジンからの排ガスは、排気管の下流側に設けたＮＯｘ還元触媒を通って大気中に放出される。
【０００３】
従来、この種の排ガス処理装置としては、尿素水溶液（液体還元剤）を用いた尿素選択還元型のＮＯｘ処理装置が多く採択され、尿素水溶液は液体還元剤用タンクに貯留されている。又、液体還元剤用タンクは液体還元剤供給パイプにより排気管に接続され、液体還元剤供給ポンプにより液体還元剤用タンク内の尿素水溶液を前記排気管に供給できるように構成されている（特許文献１参照）。
【先行技術文献】
【特許文献】
【０００４】
【特許文献１】特開２０１０−２３６２０８号公報
【発明の概要】
【発明が解決しようとする課題】
【０００５】
ところで、排ガス処理に伴い液体還元剤が減少すると、液体還元剤用タンクに液体還元剤を供給する必要がある。しかしながら、液体還元剤（尿素水溶液）は、エンジン燃料（ガソリン，軽油等）に比べて供給設備が整っていない。また、建設機械は一定の作業現場で使用されることは稀で、種々の作業現場で使用されることが多い。
【０００６】
よって、建設機械を液体還元剤の供給設備が整っている作業現場で使用する場合には液体還元剤用タンクの容量は小さくてよいが、供給設備が整っていない作業現場で建設機械を使用する場合には、予め多量の液体還元剤を建設機械に搭載しておくことが望ましい。
【０００７】
しかしながら、従来の建設機械では液体還元剤用タンクの容量が一定であったため、上記要望に対応することができないという問題点があった。
【０００８】
本発明は上記の点に鑑みてなされたものであり、液体還元剤用タンクを容易に増設しうる建設機械を提供することを目的とする。
【課題を解決するための手段】
【０００９】
上記の課題は、第１の観点からは、
上部旋回体の前部にブーム取り付け用の支持ブラケット及び工具箱が設けられ、かつ、液体還元剤を用いて排ガス処理を行う建設機械において、
前記液体還元剤を貯留すると共に、上部旋回体に配設された燃料タンクの前側に近接して配設され、前記支持ブラケットの右外側であって、かつ、前記工具箱の後ろ側に近接して配設された液体還元剤用メインタンクと、
前記液体還元剤用メインタンクに対し、前側に近接して、管継手又はホースを介して着脱可能に接続される液体還元剤用増設タンクとを有することを特徴とする建設機械により解決することができる。
【発明の効果】
【００１０】
開示の発明によれば、液体還元剤用メインタンクに対して液体還元剤用増設タンクが管継手又はホースを介して着脱可能であるため、必要に応じて液体還元剤の貯留量を容易に調整することが可能となる。
【図面の簡単な説明】
【００１１】
【図１】図１は、本発明の第１実施形態である建設機械の側面図である。
【図２】図２は、本発明第１実施形態である建設機械の上部旋回体を示す平面図である。
【図３】図３は、本発明の第１実施形態である建設機械に搭載される液体還元剤用のタンクを説明するための斜視図である。
【図４】図４は、本発明の第１実施形態である建設機械に搭載される液体還元剤用のタンクを拡大して示す構成図である。
【図５】図５は、第１実施形態である建設機械に搭載される液体還元剤用のタンクの変形例を説明するための構成図である。
【図６】図６は、管継手を説明するための図である。
【図７】図７は、本発明の第２実施形態である建設機械に搭載される液体還元剤用のタンクを説明するための斜視図である。
【図８】図８は、本発明の第２実施形態である建設機械に搭載される液体還元剤用のタンクを拡大して示す構成図である。
【図９】図９は、第２実施形態である建設機械に搭載される液体還元剤用のタンクの変形例を説明するための構成図である。
【図１０】図１０は、本発明の第３実施形態である建設機械に搭載される液体還元剤用のタンクを説明するための斜視図である。
【図１１】図１１は、本発明の第３実施形態である建設機械に搭載される液体還元剤用のタンクを拡大して示す構成図である。
【発明を実施するための形態】
【００１２】
次に、本発明の実施の形態について図面と共に説明する。
【００１３】
図１乃至図５は、本発明の第１実施形態である建設機械を説明するための図である。本実施形態では、建設機械として油圧ショベルを例に挙げて説明するが、本発明は液体還元剤を貯留するタンクを有する建設機械に広く適用が可能なものである。
【００１４】
図１は、本発明の第１実施形態である建設機械の外観を示す図である。同図に示すように、下部走行体１上には上部旋回体２が旋回可能に装架され、上部旋回体２の前方一側部にキャブ３が設けられている。また、上部旋回体２の前方中央部にブーム４が俯仰可能に枢着され、このブーム４の先端部にはアーム５が上下回動可能に連結されると共に、アーム５の先端部にはバケット６が上下回動可能に取り付けられている。
【００１５】
図２に示すように、上部旋回体２の後部にはエンジンルーム７が形成され、このエンジンルーム７内にはディーゼルエンジン８が設置されている。また、ディーゼルエンジン８の前方側（図２における手前側）には冷却ファン１２が設けられていると共に、冷却ファン１２の前方にはラジエータ等を含む熱交換機ユニット１３が設置されている。
【００１６】
更に、ディーゼルエンジン８には排気管９が接続され、排気管９の下流側には高次の排ガス規制に対応すべく、排ガス処理装置１０が設置されている。本実施例に係る排ガス処理装置１０としては、尿素水溶液（液体還元剤）を用いた尿素選択還元型のＮＯｘ処理装置が採択されている。
【００１７】
図３に示すように、上部旋回体２の前部には、左右一対のブーム取り付け用の支持ブラケット１７Ｌ，１７Ｒが立設されている。また、支持ブラケット１７Ｒの外側（図３の手前側）には、工具箱１６が設けられている。この工具箱１６は上面が開口されており、この開口部分はカバー体１６ａにより開閉可能に施蓋されている。
【００１８】
支持ブラケット１７Ｒの外側であって、工具箱１６の後方には燃料タンク１８が配設されている。また、工具箱１６と燃料タンク１８との間には空間部が形成されており、液体還元剤用メインタンク１１Ａはこの空間部内に固定されている。よって、液体還元剤用メインタンク１１Ａは、燃料タンク１８に近接して配設されている。
【００１９】
この液体還元剤用メインタンク１１Ａは、排ガス処理装置１０に供給される液体還元剤（尿素水溶液）が貯留される。また、液体還元剤用メインタンク１１Ａは、液体還元剤供給配管２９（図３には現れず。図４参照）を介して排ガス処理装置１０と接続されている。よって、液体還元剤用メインタンク１１Ａ内の液体還元剤は、液体還元剤供給配管２９を通り排ガス処理装置１０に供給される。
【００２０】
また本実施形態に係る建設装置では、液体還元剤用メインタンク１１Ａ（以下、メインタンク１１Ａと略称する）に加えて液体還元剤用増設タンク１４Ａ（以下、増設タンク１４Ａと略称する）を設けている。増設タンク１４Ａも、内部に液体還元剤を貯留するタンクである。本実施形態では、この増設タンク１４Ａを工具箱１６の中に設置した構成としている。
【００２１】
増設タンク１４Ａは、後述する還元剤用管継手２０Ａを介してメインタンク１１Ａに着脱可能に接続される。よって、増設タンク１４Ａをメインタンク１１Ａに接続することにより、建設機械内に貯留される液体還元剤の貯留量は、増設タンク１４Ａの容量分だけ増量される。
【００２２】
なお、上記のメインタンク１１Ａ及び増設タンク１４Ａの材質は特に限定されるものではなく、樹脂製（例えば、ポリエチレン樹脂等）であっても金属製であってもよい。
【００２３】
次に、メインタンク１１Ａ及び増設タンク１４Ａの接続構造について、図４及び図５を用いて説明する。
【００２４】
メインタンク１１Ａと増設タンク１４Ａは、還元剤用管継手２０Ａにより着脱可能に接続されている。液体還元剤は、還元剤用管継手２０Ａを介して増設タンク１４Ａからメインタンク１１Ａに供給される。
【００２５】
また、各タンク１１Ａ，１４Ａは、充填された液体還元剤が使用に伴い減少するためエア抜きを行う必要がある。このため各タンク１１Ａ，１４Ａには、エア抜きに用いられるエア抜き用管継手２５Ａ，２５Ｂが設けられている（図３には、還元剤用管継手２０Ａ及びエア抜き用管継手２５Ａ，２５Ｂの図示は省略している）。
【００２６】
本実施形態では、還元剤用管継手２０Ａ及びエア抜き用管継手２５Ａ，２５Ｂは同一構成とされている。しかしながら、各管継手２０Ａ，２５Ａ，２５Ｂを異なる構成とすることも可能である。
【００２７】
ここで、図５を用いて、還元剤用管継手２０Ａ及びエア抜き用管継手２５Ａ，２５Ｂの構造について説明する。
【００２８】
図５（Ａ）は各管継手の連結前の状態を示しており、図５（Ｂ）は各管継手の連結後の状態を示している。なお、上記のように各管継手２０Ａ，２５Ａ，２５Ｂは同一構成であるため、還元剤用管継手２０Ａについてのみ説明し、管継手２５Ａ，２５Ｂの構成要素については括弧書きで示すものとする。また、構成要素の各符号中、「Ａ，Ｂ」の添記も削除するものとする。
【００２９】
管継手２０（２５）は、ソケット２１（２６）とプラグ２２（２７）とにより構成されている。ソケット２１（２６）は接続ホース２３を介して液体還元剤用メインタンク１１Ａに接続されており、プラグ２２（２７）は接続ホース２４を介して液体還元剤用増設タンク１４Ａに接続されている。
【００３０】
プラグ２２（２７）は、ソケット２１（２６）に挿入するだけで自動連結される。即ち、ソケット２１（２６）とプラグ２２（２７）は、いわゆるワンタッチ連結式の管継手である。
【００３１】
メインタンク１１Ａと増設タンク１４Ａとを接続するには、先ず図５（Ａ）に示すようにソケット２１（２６）とプラグ２２（２７）とを位置合わせする。続いて、プラグ２２（２７）をソケット２１（２６）に挿入する。これにより、図５（Ｂ）に示すように管継手２０（２５）によりメインタンク１１Ａと増設タンク１４Ａは接続される。
【００３２】
一方、ソケット２１（２６）とプラグ２２（２７）の接続を解除するには、ソケット２１（２６）に設けられたスリーブ３２を図５（Ｂ）に矢印Ａで示す方向に移動操作する。これにより、ソケット２１（２６）とプラグ２２（２７）の連結は解除され、メインタンク１１Ａと増設タンク１４Ａは分離される。
【００３３】
このように、ソケット２１（２６）とプラグ２２（２７）の連結及び連結解除は容易に行うことができ、よってメインタンク１１Ａと増設タンク１４Ａの接続及び接続解除も操作性よく行うことができる。なお、ソケット２１（２６）及びプラグ２２（２７）は常閉弁構造となっており、ソケット２１（２６）とプラグ２２（２７）との連結が解除された状態において、ソケット２１（２６）及びプラグ２２（２７）から液体還元剤が漏洩するようなことはない。
【００３４】
ここで再び図４に戻り、メインタンク１１Ａ及び増設タンク１４Ａの接続構造についての説明を続ける。
【００３５】
図４（Ａ）は、増設タンク１４Ａをメインタンク１１Ａに接続する前の状態を示している。メインタンク１１Ａは、上部旋回体２の床面１９上に固定されている。また、メインタンク１１Ａは、前記のように液体還元剤供給配管２９を介して排ガス処理装置１０に接続されている。液体還元剤は、この液体還元剤供給配管２９を通り排ガス処理装置１０に供給される。
【００３６】
還元剤用管継手２０Ａを構成する還元剤用ソケット２１Ａは、メインタンク１１Ａの下部で、増設タンク１４Ａと対向する面に設けられている。また、還元剤用管継手２０Ａを構成する還元剤用プラグ２２Ａは、増設タンク１４Ａの下部で還元剤用ソケット２１Ａの配設位置と対応する位置に設けられている。
【００３７】
前記のように増設タンク１４Ａは工具箱１６内に配置されるが、工具箱１６の還元剤用管継手２０Ａと対応する位置には連結用開口（図に表れず）が形成されている。還元剤用ソケット２１Ａと還元剤用プラグ２２Ａは、連結用開口を介して連結及び連結解除が行われる。
【００３８】
メインタンク１１Ａの上部には、エア抜き用管継手２５Ａを構成するエア抜き用ソケット２６Ａが設けられている。また、増設タンク１４Ａの上部には、エア抜き用管継手２５Ｂを構成するエア抜き用ソケット２６Ｂが形成されている。
【００３９】
また、各タンク１１Ａ，１４Ａのエア抜きに用いられるエア抜き用ホース２８の一端部には、エア抜き用管継手２５Ａを構成するエア抜き用プラグ２７Ａが設けられている。また、エア抜き用ホース２８の他端部には、エア抜き用管継手２５Ｂを構成するエア抜き用プラグ２７Ｂが設けられている。
【００４０】
増設タンク１４Ａを増設するには、工具箱１６内に増設タンク１４Ａを挿入し、還元剤用プラグ２２Ａをメインタンク１１Ａに設けられた還元剤用ソケット２１Ａに連結する。このように増設作業は、単に還元剤用プラグ２２Ａを還元剤用ソケット２１Ａに連結するだけの作業であるため、容易に行うことができる。
【００４１】
続いて、エア抜き用ホース２８の一端に設けられたエア抜き用プラグ２７Ａをメインタンク１１Ａの上部に設けられたエア抜き用ソケット２６Ａに接合すると共に、他端に設けられたエア抜き用プラグ２７Ｂをエア抜き用ソケット２６Ｂに連結させる。
【００４２】
これだけの簡単な作業により、メインタンク１１Ａに対して増設タンク１４Ａを増設することができる。増設タンク１４Ａが増設されることにより、増設前に比べて液体還元剤の貯留量を増大させることができる。
【００４３】
なお工具箱１６には、エア抜き用ホース２８を挿通する挿通孔（図示せず）が形成されている。また図３において、エア抜き用管継手２５Ａ，２５Ｂ及びエア抜き用ホース２８の図示は省略している。
【００４４】
本実施形態に係る建設機械では、供給設備が整っていない作業現場で建設機械を使用する場合には、上記のように予め増設タンク１４Ａを増設して多量の液体還元剤を建設機械に搭載しておくことが可能になる。これにより、液体還元剤の供給回数を低減することができ、建設機械の稼動効率の向上を図ることができる。
【００４５】
また、建設機械を液体還元剤の供給設備が整っている作業現場で使用する場合には、増設タンク１４Ａを取り外しておくことが可能になる。このため、取り外した状態では上部旋回体２の軽量化を図ることができると共に、工具箱１６の収納容積を増大させることができる。
【００４６】
また、増設タンク１４Ａは、上部旋回体２の外側部に配設した工具箱１６内に設置されている。よって、増設タンク１４Ａに液体還元剤（尿素水溶液）を補給する際は、工具箱１６の上部から増設タンク１４Ａに対して直接補給できる。これにより作業者は、増設タンク１４Ａへの液体還元剤の補給を容易迅速に行うことができる。
【００４７】
更に本実施形態では、メインタンク１１Ａ及び増設タンク１４Ａが、いずれも燃料タンク１８の近傍に配置されている。建設機械の稼働時には燃料タンク１８が熱を持つため、この熱により各タンク１１Ａ，１４Ａの温度を上昇させることができる。これにより、タンク１１Ａ，１４Ａ内の液体還元剤が凍結することを防止することができる。
【００４８】
図６は、上記した第１実施形態の変形性を示している。
【００４９】
なお、図６において、図１乃至図５に示した構成と対応する構成については同一符号を付し、その説明は省略するものとする。
【００５０】
図４を用いて説明した実施形態では、メインタンク１１Ｂの側面に還元剤用ソケット２１Ａを設けると共に、増設タンク１４Ｂの側面に還元剤用プラグ２２Ａを設け、還元剤用管継手２０Ａよりメインタンク１１Ａと増設タンク１４Ａを直接接続する構成とした。
【００５１】
これに対して本変形例では、床面１９の下部に液体還元剤供給配管３０を配設し、この液体還元剤供給配管３０に液体還元剤用メインタンク１１Ｂ（以下、メインタンク１１Ｂと略称する）を直接連結して固定すると共に、液体還元剤供給配管３０の端部に液体還元剤用増設タンク１４Ｂ（以下、増設タンク１４Ｂと略称する）が接続される還元剤用ソケット２１Ｂを設けたことを特徴とするものである。
【００５２】
この液体還元剤供給配管３０は、メインタンク１１Ｂと増設タンク１４Ｂとを接続する接続配管として機能すると共に、液体還元剤を排ガス処理装置１０に供給する液体還元剤の供給配管としても機能する。
【００５３】
図６（Ａ）は、増設タンク１４Ｂを接続する前の状態を示している。本変形例では、還元剤用管継手２０Ｂを構成する還元剤用ソケット２１Ｂは床面１９に配設されている。また、還元剤用ソケット２１Ｂは液体還元剤供給配管３０に接続されている。一方、還元剤用管継手２０Ｂを構成する還元剤用プラグ２２Ｂは、増設タンク１４Ｂの底面に配設されている。
【００５４】
上記のように本変形例では、還元剤用ソケット２１Ｂが床面１９に設けられているため、増設タンク１４Ｂ増設する際に作業者は上部から還元剤用ソケット２１Ｂを確認することができる。また、還元剤用プラグ２２Ｂは増設タンク１４Ｂの底面に形成されている。よって、本変形例では、作業者は還元剤用ソケット２１Ｂを目で確認しつつ還元剤用プラグ２２Ｂと還元剤用ソケット２１Ｂとの接合をできるため、増設タンク１４Ｂの増設処理を容易に行うことができる。
【００５５】
次に、図７乃至図９を用いて、本発明の第２実施形態について説明する。
【００５６】
図７は、第２実施形態に係る建設機械に設けられた液体還元剤用メインタンク１１Ｃ（以下、メインタンク１１Ｃと略称する）及び液体還元剤用増設タンク１４Ｃ（以下、増設タンク１４Ｃと略称する）を示している。図８（Ａ）は増設タンク１４Ｃを液体還元剤用メインタンク１１Ｃに接続する前の状態を示しており、図８（Ｂ）は増設タンク１４Ｃを液体還元剤用メインタンク１１Ｃに接続した後の状態を示している。また、図９は第２実施形態の変形例を示している。
【００５７】
なお、図７乃至図９において、図１乃至図６に示した構成と対応する構成については同一符号を付し、その説明は省略するものとする。
【００５８】
前記した第１実施形態では、メインタンク１１Ａと増設タンク１４Ａの構成が異なっていた。これに対して本実施形態では、メインタンク１１Ｃと増設タンク１４Ｃの構成を同一構成としたことを特徴とするものである。
【００５９】
図８に示されるように、メインタンク１１Ｃは床面１９上に配設されている。このメインタンク１１Ｃは、増設タンク１４Ｃと対向する対向面３３の下部に還元剤用管継手２０Ａを構成する還元剤用ソケット２１Ａが設けられている。また、対向面３３の上部には、エア抜き用管継手２５Ｃを構成するエア抜き用プラグ２７Ｃが設けられている。なお、エア抜き用管継手２５Ｃは、前記した各管継手２０Ａ，２０Ｂ，２５Ａ，２５Ｂと同一構成とされている。
【００６０】
また、対向面３３と反対側の面（背面３４という）の下部には、液体還元剤供給配管２９が接続される配管接続部３５が設けられている。よって、メインタンク１１Ｃは配管接続部３５及び液体還元剤供給配管２９を介して排ガス処理装置１０に接続される。
【００６１】
一方、増設タンク１４Ｃはメインタンク１１Ｃの状態に対し、上下を反転させた状態で床面１９上に配設されている。よって、増設タンク１４Ｃの対向面３３の下部には、還元剤用管継手２０Ａを構成する還元剤用プラグ２２Ａが位置している。また、対向面３３の上部には、エア抜き用管継手２５Ｃを構成するエア抜き用ソケット２６Ｃが位置している。更に、増設タンク１４Ｃの背面３４の上部には、配管接続部３５が位置している。この配管接続部３５は図示しない閉栓で閉塞されており、この配管接続部３５から液体還元剤（尿素水溶液）が外部に漏洩するようなことはない。
【００６２】
各管継手２０Ａ，２５Ｃは、メインタンク１１Ｃと増設タンク１４Ｃが床面１９上に配設された状態において、還元剤用ソケット２１Ａと還元剤用プラグ２２Ａが対向し、エア抜き用プラグ２７Ｃとエア抜き用ソケット２６Ｃが対向するよう構成されている。
【００６３】
メインタンク１１Ｃに増設タンク１４Ｃを接続するには、増設タンク１４Ｃを床面１９に沿ってメインタンク１１Ｃに向けて移動させる。これにより、図８（Ｂ）に示すように、還元剤用プラグ２２Ａは還元剤用ソケット２１Ａと結合し、エア抜き用プラグ２７Ｃはエア抜き用ソケット２６Ｃと結合する。このように本実施形態では、メインタンク１１Ｃと増設タンク１４Ｃの接続処理を容易に行うことができる。
【００６４】
また本実施形態では、メインタンク１１Ｃと増設タンク１４Ｃを同一構成としている。このため、メインタンクと増設タンクを別箇な構成とした場合に比べ、各タンク１１Ｃ，１４Ｃのコストを低減することができる。
【００６５】
図９は、第２実施形態の変形例を示している。
【００６６】
図９（Ａ）は増設タンク１４Ｂと液体還元剤用メインタンク１１Ｄ（以下、メインタンク１１Ｄと略称する）とを接続する前の状態を示しており、図９（Ｂ）は増設タンク１４Ｂとメインタンク１１Ｄとを接続した後の状態を示している。
【００６７】
本変形例では、液体還元剤供給配管３０を床面１９の下部に配設している。また、液体還元剤用メインタンク１１Ｄは、その下部を液体還元剤供給配管３０に接続した状態で固定されている。また、メインタンク１１Ｄの上面には、エア抜き用管継手２５Ａを構成するエア抜き用ソケット２６Ａが設けられており、エア抜き用ホース２８のエア抜き用プラグ２７Ａが接合されるよう構成されている。
【００６８】
本変形例では、増設タンクとして図６を用いて説明した増設タンク１４Ｂを使用している。よって、増設タンク１４Ｂの下面には還元剤用管継手２０Ｂを構成する還元剤用プラグ２２Ｂが設けられると共に、上面にはエア抜き用管継手２５Ｂを構成するエア抜き用ソケット２６Ｂが設けられている。
【００６９】
還元剤用ソケット２１Ｂは、床面１９に固定されると共に液体還元剤供給配管３０に接続されている。還元剤用プラグ２２Ｂは、この還元剤用ソケット２１Ｂに着脱可能に連結される。
【００７０】
よって、本変形例も還元剤用プラグ２２Ｂを還元剤用ソケット２１Ｂに連結する際、作業者は還元剤用ソケット２１Ｂの位置を確認できるため、増設タンク１４Ｂの増設処理を容易に行うことができる。
【００７１】
また、本変形例は、メインタンク１１Ｄのタンク本体（管継手等を除く容器部分）と、増設タンク１４Ｂのタンク本体（管継手等を除く容器部分）とを同一構成としている。よって、メインタンクのタンク本体と増設タンクのタンク本体を別箇な構成とした場合に比べ、本変形例の構成とすることにより、各タンク１１Ｄ，１４Ｂのコストを低減することができる。
【００７２】
次に、図１０及び図１１を用いて、本発明の第３実施形態について説明する。
【００７３】
図１０は、第３実施形態に係る建設機械に設けられた液体還元剤用メインタンク１１Ｄ（以下、メインタンク１１Ｄと略称する）及び増設タンク１４Ｂを示している。図１１（Ａ）は増設タンク１４Ｂと液体還元剤用メインタンク１１Ｄとを接続する前の状態を示しており、図１１（Ｂ）は増設タンク１４Ｂと液体還元剤用メインタンク１１Ｄとを接続した後の状態を示している。
【００７４】
なお、図１０乃至図１１において、図１乃至図９に示した構成と対応する構成については同一符号を付し、その説明は省略するものとする。また、図１０においては、エア抜き用管継手２５Ａ、２５Ｂ及びエア抜き用ホース２８の図示を省略している。
【００７５】
本実施形態は、図９を用いて説明した第２実施形態の変形例において、更に増設タンク１４Ｂを１個増設し、２個の増設タンク１４Ｂを設けたことを特徴とするものである。増設タンクの配設位置は、前記した各実施形態で示したメインタンクの側部位置（工具箱１６の中）に限定されるものではなく、メインタンク１１Ｄの上部に増設タンク１４Ｂを設けることも可能である。
【００７６】
増設タンク１４Ｂは、還元剤用管継手２０Ｃを用いてメインタンク１１Ｄの上部に増設される。この還元剤用管継手２０Ｃは、前記した還元剤用管継手２０Ａ，２０Ｂ及びエア抜き用管継手２５Ａ，２５Ｂ，２５Ｃと同一構成とされた管継手である。この還元剤用管継手２０Ｃは、メインタンク１１Ｄの上面に設けられた還元剤用ソケット２１Ｃと、増設タンク１４Ｂの下面に設けられた還元剤用プラグ２２Ｃとにより構成されている。
【００７７】
本実施形態において、還元剤用プラグ２２Ｃを還元剤用ソケット２１Ｃに連結する際、作業者は還元剤用ソケット２１Ｃの位置を確認しつつ増設タンク１４Ｂをメインタンク１１Ｄに装着することができる。よって、メインタンク１１Ｄ上に増設タンク１４Ｂを増設する処理を容易に行うことができる。
【００７８】
また本実施形態においても、メインタンク１１Ｄのタンク本体と、各増設タンク１４Ｂのタンク本体を同一構成としている。よって、メインタンクのタンク本体と増設タンクのタンク本体を別箇な構成とした場合に比べ、各タンク１１Ｄ，１４Ｂのコストを低減することができる。
【００７９】
更に、本実施形態のように液体還元剤を充填する各タンク１１Ｄ，１４Ｂの個々の充填量を少なくして細分化することにより、上部旋回体２内のいわゆるデッドスペースを液体還元剤のタンクの収納領域として利用することができ、エンジンルーム７内の有効利用を図ることが可能となる。
【００８０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【産業上の利用可能性】
【００８１】
本発明は、液体還元剤用タンクを搭載した建設機械であれば、液体還元剤用タンク内に尿素水溶液以外の液体還元剤を貯留したものにも適用可能である。
【符号の説明】
【００８２】
２  上部旋回体
７  エンジンルーム
８  ディーゼルエンジン
９  排気管
１０  排ガス処理装置
１１Ａ，１１Ｂ，１１Ｃ，１１Ｄ  （液体還元剤用）メインタンク
１４Ａ，１４Ｂ  （液体還元剤用）増設タンク
１６  工具箱
１７Ｌ，１７Ｒ  支持ブラケット
１８  燃料タンク
２０Ａ，２０Ｂ，２０Ｃ  還元剤用管継手
２１Ａ，２１Ｂ，２１Ｃ  還元剤用ソケット
２２Ａ，２２Ｂ，２２Ｃ  還元剤用プラグ
２３，２４  接続ホース
２５Ａ，２５Ｂ，２５Ｃ  エア抜き用管継手
２６Ａ，２６Ｂ，２６Ｃ  エア抜き用ソケット
２７Ａ，２７Ｂ，２７Ｃ  エア抜き用プラグ
２８  エア抜き用ホース
２９，３０  液体還元剤供給配管
【図１】
0005684160.tif 000002
【図２】
0005684160.tif 000003
【図３】
0005684160.tif 000004
【図４】
0005684160.tif 000005
【図５】
0005684160.tif 000006
【図６】
0005684160.tif 000007
【図７】
0005684160.tif 000008
【図８】
0005684160.tif 000009
【図９】
0005684160.tif 000010
【図１０】
0005684160.tif 000011
【図１１】
0005684160.tif 000012